(57)【要約】【課題】液体吸収剤によって空気と水分の授受を行う調湿モジュールにおいて、液体吸収剤の温度変化を抑えることによって調湿モジュールの小型化を図る。【解決手段】液体吸収剤が内部を流れる透湿管（43）と、該透湿管（43）内の液体吸収剤と内部の熱媒体とを熱交換させる伝熱管（48）と、これら透湿管（43）及び伝熱管（48）を内部に収容し液体吸収剤と水分を授受させる空気が内部を流れる空気通路（50）と、を備え、透湿管（43）及び伝熱管（48）が複数箇所にて互いに接触した状態で交差した網状構造（60）を形成している。【選択図】図３
2014129930.tif 000002
【特許請求の範囲】
【請求項１】
液体吸収剤を用いて空気を加湿し又は除湿する調湿モジュールであって、
前記液体吸収剤は透過させずに水蒸気を透過させる膜によって構成され、前記液体吸収剤が内部を流れる透湿管（43）と、
加熱用又は冷却用の熱媒体が内部を流れ、前記透湿管（43）内の液体吸収剤と内部の熱媒体とを熱交換させる伝熱管（48）と、
前記透湿管（43）及び伝熱管（48）が設置され、前記液体吸収剤と水分を授受させる空気が内部を流れる空気通路（50）と、を備え、
前記透湿管（43）及び伝熱管（48）は、複数箇所にて互いに接触した状態で交差した網状構造（60）を形成している
ことを特徴とする調湿モジュール。
【請求項２】
請求項１に記載された調湿モジュールにおいて、
前記網状構造（60）を構成する透湿管（43）及び伝熱管（48）は、互いに直交する方向に延び、それぞれ間隔をあけて複数本設けられている
ことを特徴とする調湿モジュール。
【請求項３】
請求項１又は２に記載された調湿モジュールにおいて、
前記網状構造（60）は、前記空気通路（50）の空気の流れ方向に沿って複数設けられている
ことを特徴とする調湿モジュール。
【請求項４】
請求項２又は３に記載された調湿モジュールにおいて、
前記網状構造（60）を構成する透湿管（43）は、当該網状構造（60）を構成する複数本の伝熱管（48）の間を蛇行する蛇行管であり、該伝熱管（48）の外周面の一部にその周方向に沿って接触している
ことを特徴とする調湿モジュール。
【請求項５】
請求項２〜４のいずれか１項に記載された調湿モジュールにおいて、
前記網状構造（60）を構成する伝熱管（48）は、当該網状構造（60）を構成する複数本の透湿管（43）の間を蛇行する蛇行管であり、該透湿管（43）の外周面の一部にその周方向に沿って接触している
ことを特徴とする調湿モジュール。
【請求項６】
請求項５に記載された調湿モジュールにおいて、
前記伝熱管（48）は、樹脂製のチューブである
ことを特徴とする調湿モジュール。
【請求項７】
請求項１〜５のいずれか１項に記載された調湿モジュールにおいて、
前記伝熱管（48）は、銅製のキャピラリーチューブである
ことを特徴とする調湿モジュール。
【請求項８】
請求項２に記載された調湿モジュールにおいて、
前記透湿管（43）及び伝熱管（48）は、直線状に延びる直管である
ことを特徴とする調湿モジュール。
【請求項９】
請求項２〜８のいずれか１項に記載された調湿モジュールにおいて、
前記複数本の透湿管（43）の両端は、互いに対向して配置された一対の吸収剤ヘッダ（42）にそれぞれ接続され、
前記複数本の伝熱管（48）の両端は、互いに対向して配置された一対の熱媒体ヘッダ（47）にそれぞれ接続され、
前記一対の吸収剤ヘッダ（42）と前記一対の熱媒体ヘッダ（47）とは、前記空気通路（50）を仕切っている
ことを特徴とする調湿モジュール。
【請求項１０】
請求項１〜９のいずれか１項に記載された調湿モジュール（40）と、
前記調湿モジュール（40）の透湿管（43）に液体吸収剤を供給する吸収剤回路（30）と、
前記調湿モジュール（40）の伝熱管（48）に加熱用又は冷却用の熱媒体を供給する熱媒体回路（35）と、
前記調湿モジュール（40）の空気通路（50）に空気を供給する空気供給手段（27, 28）と、を備え、
前記調湿モジュール（40）の空気通路（50）に流れる空気を除湿し又は加湿する
ことを特徴とする調湿装置。
【発明の詳細な説明】
【技術分野】
【０００１】
本発明は、液体吸収剤を用いて空気の湿度調節を行う調湿モジュール及びそれを備えた調湿装置に関するものである。
【背景技術】
【０００２】
従来から、塩化リチウム水溶液などの液体吸収剤と、液体吸収剤は透過させずに水蒸気だけを透過させる透湿膜と、を備え、透湿膜を介して空気と液体吸収剤との間で水分の授受を行って空気を調湿する調湿装置が知られている。
【０００３】
例えば、特許文献１には、液体吸収剤が循環する吸収剤回路と、冷媒が循環して冷凍サイクルを行う冷媒回路と、を備えた調湿装置が開示されている。この調湿装置は、吸湿部及び放湿部を備えている。これら吸湿部及び放湿部は、ファンの設けられた空気通路が透湿膜によって液体吸収剤の通路から仕切られている。そして、吸湿部から放湿部に向かって液体吸収剤が流れる通路には、冷媒回路の凝縮器が配置されている。また、放湿部から吸湿部に向かって液体吸収剤が流れる通路には、冷媒回路の蒸発器が配置されている。
【０００４】
この調湿装置では、蒸発器で冷却された液体吸収剤が吸湿部に流入し、該吸湿部にて空気に含まれる水蒸気が透湿膜を介して液体吸収剤に吸収されることで、空気通路内の空気が除湿される。また、この調湿装置では、凝縮器で加熱された液体吸収剤が放湿部に流入し、該放湿部にて液体吸収剤の水分の一部が気化して水蒸気となり透湿膜を介して空気中に放出されることで、空気通路内の空気が加湿される。
【先行技術文献】
【特許文献】
【０００５】
【特許文献１】特開平０５−１４６６２７号公報
【発明の概要】
【発明が解決しようとする課題】
【０００６】
特許文献１に開示された調湿装置では、冷媒によって予め加熱され又は冷却された液体吸収剤が、透湿膜を介して空気と水分の授受を行う。空気中の水蒸気が液体吸収剤に吸収される際には、吸収熱が生じる。他方、液体吸収剤の水分が空気中に放出される際には、液体である水が液体吸収剤から熱を奪って気化する。このため、特許文献１に開示の調湿装置では、液体吸収剤に水蒸気が吸収される過程で液体吸収剤の温度が次第に上昇し、その温度上昇に応じて液体吸収剤に水蒸気が吸収され難くなっていく。また、この調湿装置では、液体吸収剤の水分が空気中に放出される過程で液体吸収剤の温度が次第に低下し、その温度低下に応じて液体吸収剤から水蒸気が放出され難くなっていく。
【０００７】
従って、予め加熱され又は冷却された液体吸収剤が透湿膜を介して空気と水分の授受を行う従来の調湿装置では、充分な調湿性能を得ようとすると、透湿膜を備えた吸湿部や放湿部が大型化するという問題がある。
【０００８】
本発明は、斯かる点に鑑みてなされたものであり、その目的とするところは、液体吸収剤を用いて空気の湿度調節を行う調湿モジュールにおいて、空気と水分を授受することで生じる液体吸収剤の温度変化を抑えることにより、調湿モジュールの小型化を図ることにある。
【課題を解決するための手段】
【０００９】
上記の目的を達成するために、この発明では、液体吸収剤と空気とで水分を授受させる空気通路にて液体吸収剤と熱媒体との熱交換をも行わせる構成にした。
【００１０】
具体的には、第１の発明は、液体吸収剤を用いて空気を加湿し又は除湿する調湿モジュール（40）を対象としている。この第１の発明は、前記液体吸収剤は透過させずに水蒸気を透過させる膜によって構成され、前記液体吸収剤が内部を流れる透湿管（43）と、加熱用又は冷却用の熱媒体が内部を流れ、前記透湿管（43）内の液体吸収剤と内部の熱媒体とを熱交換させる伝熱管（48）と、前記透湿管（43）及び伝熱管（48）が設置され、前記液体吸収剤と水分を授受させる空気が流れる空気通路（50）と、を備える。そして、第１の発明は、前記透湿管（43）及び伝熱管（48）が、複数箇所にて互いに接触した状態で交差した網状構造（60）を形成していることを特徴とする。
【００１１】
この第１の発明では、空気通路（50）に設置された透湿管（43）及び伝熱管（48）が、網状構造（60）を形成し、複数箇所にて互いに接触した状態で交差しているので、透湿管（43）内に流れる液体吸収剤には、伝熱管（48）内の熱媒体が持つ温熱又は冷熱が複数箇所で付与される。これによって、液体吸収剤が空気と水分を授受する際に生じる液体吸収剤の温度変化が抑えられる。
【００１２】
第１の発明の調湿モジュール（40）において、空気通路（50）の空気を除湿する場合に、伝熱管（48）に冷却用の熱媒体が流れると、透湿管（43）内を流れる液体吸収剤が伝熱管（48）内の冷却用の熱媒体によって冷却される。空気通路（50）の空気に含まれる水蒸気の一部は、冷却された液体吸収剤に透湿管（43）を透過して吸収される。液体吸収剤が水蒸気を吸収する際には吸収熱が生じるが、液体吸収剤が内部を流れる透湿管（43）は伝熱管（48）と複数箇所で接触しているので、液体吸収剤は、透湿管（43）内を流れる過程で、伝熱管（48）内の熱媒体によって間欠的に冷却される。これにより、透湿管（43）内を流れる間に吸収熱の作用で液体吸収剤が昇温する分の熱量は、伝熱管（48）内を流れる熱媒体によって程無く吸収される。したがって、液体吸収剤が水蒸気を吸収する際に吸収熱が生じても、透湿管（43）内を流れる液体吸収剤の温度上昇が抑えられる。
【００１３】
また、第１の発明の調湿モジュール（40）において、空気通路（50）の空気を加湿する場合に、伝熱管（48）に加熱用の熱媒体が流れると、透湿管（43）内を流れる液体吸収剤が伝熱管（48）内の熱媒体によって加熱される。加熱された液体吸収剤に含まれる水分の一部は、水蒸気となって透湿管（43）を透過し、空気通路（50）の空気に付与される。液体吸収剤に含まれる水分が気化する際には周囲から熱を奪うが、液体吸収剤が内部を流れる透湿管（43）は伝熱管（48）と複数箇所で接触しているので、液体吸収剤は、透湿管（43）内を流れる過程で、伝熱管（48）内の熱媒体によって間欠的に加熱される。これにより、透湿管（43）内を流れる間に水分の気化作用で液体吸収剤が降温する分の熱量は、伝熱管（48）内を流れる熱媒体によって程無く補われる。したがって、液体吸収剤に含まれる水分が気化する過程で周囲から熱を奪っても、透湿管（43）内を流れる液体吸収剤の温度低下が抑えられる。
【００１４】
第２の発明は、第１の発明の調湿モジュール（40）において、前記網状構造（60）を構成する透湿管（43）及び伝熱管（48）が、互いに直交する方向に延び、それぞれ間隔をあけて複数本設けられていることを特徴とする。
【００１５】
この第２の発明では、透湿管（43）と伝熱管（48）とが複数本ずつ設けられて格子状に組まれることにより網状構造（60）が構成されているので、当該網状構造（60）が簡易な構成で実現される。
【００１６】
第３の発明は、第１又は第２の発明の調湿モジュール（40）において、前記網状構造（60）が、前記空気通路（50）の空気の流れ方向に沿って複数設けられていることを特徴とする。
【００１７】
この第３の発明では、複数の網状構造（60）が前記空気通路（50）の空気の流れ方向に沿って設けられているので、空気通路（50）を流れる空気が複数の網状構造（60）のそれぞれにて加湿し又は除湿される。
【００１８】
第４の発明は、第２又は第３の発明の調湿モジュール（40）において、前記網状構造（60）を構成する透湿管（43）は、当該網状構造（60）を構成する複数本の伝熱管（48）の間を蛇行する蛇行管であり、該伝熱管（48）の外周面の一部にその周方向に沿って接触していることを特徴とする。
【００１９】
この第４の発明では、網状構造（60）を構成する透湿管（43）が、蛇行管であって、各伝熱管（48）の外周面の一部にその周方向に沿って接触しているので、例えば共に直管である透湿管（43）と伝熱管（48）とが交差部で単純に接触している場合に比べて、これら透湿管（43）と伝熱管（48）との接触面積が増大する。
【００２０】
第５の発明は、第２〜第４の発明のいずれか１つの調湿モジュール（40）において、前記網状構造（60）を構成する伝熱管（48）は、当該網状構造（60）を構成する複数本の透湿管（43）の間を蛇行する蛇行管であり、該透湿管（43）の外周面の一部にその周方向に沿って接触していることを特徴とする。
【００２１】
この第５の発明では、網状構造（60）を構成する伝熱管（48）が、蛇行管であって、各透湿管（43）の外周面の一部にその周方向に沿って接触しているので、例えば共に直管である透湿管（43）と伝熱管（48）とが交差部で単純に接触している場合に比べて、これら透湿管（43）と伝熱管（48）との接触面積が増大する。
【００２２】
第６の発明は、第５の発明の調湿モジュール（40）において、前記伝熱管（48）が、樹脂製のチューブであることを特徴とする。
【００２３】
この第６の発明では、伝熱管（48）が樹脂製のチューブであるので、錆の発生がなく、軽量である。また、樹脂製のチューブは、直径１ｍｍ程度まで細径化が可能であり、柔軟性を持たせることができるため、伝熱管（48）の加工性が向上する。
【００２４】
第７の発明は、第１〜第５の発明のいずれか１つの調湿モジュール（40）において、前記伝熱管（48）が、銅製のキャピラリーチューブであることを特徴とする。
【００２５】
この第７の発明では、伝熱管（48）が銅製のキャピラリーチューブであるので、熱伝導率が高く、伝熱管（48）に適している。
【００２６】
第８の発明は、第２の発明の調湿モジュール（40）において、前記透湿管（43）及び伝熱管（48）が、直線状に延びる直管であることを特徴とする。
【００２７】
この第８の発明では、透湿管（43）及び伝熱管（48）が共に直管であるので、網状構造（60）が簡素な構成で実現される。
【００２８】
第９の発明は、第２〜第８の発明のいずれか１つ調湿モジュール（40）において、前記複数本の透湿管（43）の両端が、互いに対向して配置された一対の吸収剤ヘッダ（42）にそれぞれ接続され、前記複数本の伝熱管（48）の両端が、互いに対向して配置された一対の熱媒体ヘッダ（47）にそれぞれ接続され、前記一対の吸収剤ヘッダ（42）と前記一対の熱媒体ヘッダ（47）とは、前記空気通路（50）を仕切っていることを特徴とする。
【００２９】
この第９の発明では、複数本の透湿管（43）の両端が一対の吸収剤ヘッダ（42）にそれぞれ接続されているので、一方の吸収剤ヘッダ（42）から他方の吸収剤ヘッダ（42）に各透湿管（43）を介して液体吸収剤を送ることで、複数本の透湿管（43）内に液体吸収剤が流通する。また、複数本の伝熱管（48）の両端が一対の熱媒体ヘッダ（47）にそれぞれ接続されているので、一方の熱媒体ヘッダ（47）から他方の熱媒体ヘッダ（47）に各伝熱管（48）を介して熱媒体を送ることで、複数本の伝熱管（48）内に熱媒体が流通する。そして、一対の吸収剤ヘッダ（42）と一対の熱媒体ヘッダ（47）とが空気通路（50）を仕切っているので、空気通路（50）を仕切るための部材をこれら両ヘッダ（42, 48）とは別に設けなくて済む。
【００３０】
第１０の発明は、調湿装置（10）を対象としており、第１〜第９の発明のいずれか１つの調湿モジュール（40）と、前記調湿モジュール（40）の透湿管（43）に液体吸収剤を供給する吸収剤回路（30）と、前記調湿モジュール（40）の伝熱管（48）に加熱用又は冷却用の熱媒体を供給する熱媒体回路（35）と、前記調湿モジュール（40）の空気通路（50）に空気を供給する空気供給手段（27, 28）と、を備え、前記調湿モジュール（40）の空気通路（50）に流れる空気を除湿し又は加湿することを特徴とする。
【００３１】
この第１０の発明では、熱媒体回路（35）が調湿モジュール（40）の伝熱管（48）に加熱用の熱媒体を供給すると、調湿モジュール（40）の空気通路（50）を流れる空気が加湿される。つまり、調湿モジュール（40）では、透湿管（43）内を流れる液体吸収剤が、該透湿管（43）と伝熱管（48）との複数の接触箇所において伝熱管（48）内の加熱用の熱媒体によって加熱され、液体吸収剤から透湿管（43）を介して放出された水蒸気が空気通路（50）の空気に付与される。他方、熱媒体回路（35）が調湿モジュール（40）の伝熱管（48）に冷却用の熱媒体を供給すると、調湿モジュール（40）の空気通路（50）を流れる空気が除湿される。つまり、調湿モジュール（40）では、透湿管（43）内を流れる液体吸収剤が、該透湿管（43）と伝熱管（48）との複数の接触箇所において伝熱管（48）内の冷却用の熱媒体によって冷却され、空気通路（50）の空気に含まれる水蒸気が透湿管（43）を介して液体吸収剤に吸収される。
【発明の効果】
【００３２】
第１の発明によれば、空気通路（50）に設置された透湿管（43）及び伝熱管（48）が、網状構造（60）を形成し、複数箇所にて互いに接触した状態で交差しているので、透湿管（43）内に流れる液体吸収剤に伝熱管（48）内の熱媒体が持つ温熱又は冷熱が複数箇所で付与されながら、該空気通路（50）を流れる空気と透湿管（45）内の液体吸収剤とで水分が授受される。したがって、液体吸収剤が空気と水分を授受することで生じる液体吸収剤の温度変化を抑えることができ、その結果、調湿モジュール（40）の小型化を図ることができる。
【００３３】
また、第１の発明によれば、空気と液体吸収剤とが水分を授受する空気通路（50）にて液体吸収剤と熱媒体とが熱交換するので、特許文献１に開示のように吸湿部及び放湿部から離れた位置で液体吸収剤を冷却し又は加熱する場合に比べて、加熱され又は冷却されてから空気と水分の授受を行うまでに生じる液体吸収剤の熱損失が殆どなく、水蒸気の吸収又は放出による液体吸収剤の温度変化を見越して液体吸収剤を過剰に冷却し又は加熱しなくても済む。したがって、調湿モジュール（40）において、液体吸収剤に吸湿させ又は放湿させるために必要なエネルギーを削減することができる。
【００３４】
第２の発明によれば、網状構造（60）が格子状に組んだ複数本の透湿管（43）と複数本の伝熱管（48）とで構成されているので、当該網状構造（60）を簡易に実現することができる。
【００３５】
第３の発明によれば、空気通路（50）に網状構造（60）が１つだけ設けられている場合に比べて、空気通路（50）を流れる空気に対する加湿量又は除湿量が増大し、調湿モジュール（40）の調湿能力を向上させることができる。
【００３６】
第４の発明によれば、例えば共に直管である透湿管（43）と伝熱管（48）とが交差部で単純に接触している場合に比べて、これら透湿管（43）と伝熱管（48）との接触面積が増大するので、透湿管（43）内を流れる液体吸収剤と伝熱管（48）内を流れる熱媒体との熱交換率を向上させることができ、これら液体吸収剤と熱媒体とを充分に熱交換させることができる。
【００３７】
第５の発明によれば、例えば共に直管である透湿管（43）と伝熱管（48）とが交差部で単純に接触している場合に比べて、これら透湿管（43）と伝熱管（48）との接触面積が増大するので、透湿管（43）内を流れる液体吸収剤と伝熱管（48）内を流れる熱媒体との熱交換率を向上させることができ、これら液体吸収剤と熱媒体とを充分に熱交換させることができる。
【００３８】
第６の発明によれば、伝熱管（48）に錆の発生をなくし、且つ、調湿モジュール（40）の軽量化を図ることができる。また、伝熱管（48）の加工性を向上させることができる。
【００３９】
第７の発明によれば、伝熱管（48）に良好な熱伝導性を持たせることができ、伝熱管（48）内を流れる熱媒体と透湿管（43）内を流れる液体吸収剤とを充分に熱交換させることができる。
【００４０】
第８の発明によれば、透湿管（43）と伝熱管（48）とで構成される網状構造（60）を簡素化することができる。
【００４１】
第９の発明によれば、簡易な構成でコンパクトに調湿モジュール（40）を実現することができる。
【００４２】
第１０の発明によれば、第１〜第９の発明の調湿モジュール（40）が、液体吸収剤の温度変化を抑えることによって小型化を図ることができ、且つ液体吸収剤に吸湿させ又は放湿させるために必要なエネルギーを削減することができる、という優れた特性を備えているので、該調湿モジュール（40）を備えた調湿装置（10）としても、コンパクト化を図ると共に、エネルギー効率を改善することができる。
【図面の簡単な説明】
【００４３】
【図１】図１は、本発明の実施形態１に係る調湿装置の構造を概略的に示す平面図である。
【図２】図２は、本発明の実施形態１に係る調湿装置に設けられた吸収剤回路と冷媒回路の構成を示す回路図である。
【図３】図３は、本発明の実施形態１に係る調湿装置を構成する調湿モジュールの構造を概略的に示す斜視図である。
【図４】図４は、本発明の実施形態１に係る調湿モジュールに設けられた網状構造における透湿管と伝熱管との交差部を示す断面図である。
【図５】図５は、本発明の実施形態２に係る調湿モジュールの構造を概略的に示す斜視図である。
【図６】図６は、本発明の実施形態２に係る調湿モジュールに設けられた網状構造における透湿管と伝熱管との交差部を示す断面図である。
【図７】図７は、本発明の実施形態２に係る調湿モジュールに設けられた網状構造における透湿管と伝熱管との交差部を示す断面図である。
【図８】図８は、本発明の実施形態２の変形例に係る調湿モジュールの構造を概略的に示す斜視図である。
【図９】図９は、本発明の実施形態３に係る調湿モジュールの構造を概略的に示す正面図である。
【図１０】図１０は、本発明の実施形態３の変形例に係る調湿モジュールの構造を概略的に示す正面図である。
【図１１】図１１は、本発明のその他の実施形態に係る調湿装置を概略的に示す構成図である。
【発明を実施するための形態】
【００４４】
以下、本発明の実施形態を図面に基づいて詳細に説明する。なお、以下の実施形態は、本質的に好ましい例示であって、本発明、その適用物、或いはその用途の範囲を制限することを意図するものではない。
【００４５】
《発明の実施形態１》
この実施形態１に係る調湿装置（10）は、液体吸収剤を用いて空気の除湿と加湿を行うことで、室内空気の湿度を調節する吸収式の調湿装置である。
【００４６】
−調湿装置の構成−
本実施形態の調湿装置（10）について、図１及び図２を参照しながら説明する。
【００４７】
図１に示すように、本実施形態の調湿装置（10）は、ケーシング（20）を備えている。このケーシング（20）は、直方体の箱状に形成されている。ケーシング（20）の一方の端面には、外気吸込口（21）と排気口（24）とが形成されている。また、ケーシング（20）の他方の端面には、給気口（22）と内気吸込口（23）とが形成されている。ケーシング（20）の内部空間は、給気通路（25）と排気通路（26）とに仕切られている。
【００４８】
給気通路（25）は、外気吸込口（21）及び給気口（22）に連通している。この給気通路（25）には、空気供給手段である給気ファン（27）と、第１の調湿モジュールである給気側モジュール（40a）と、が配置されている。他方、排気通路（26）は、内気吸込口（23）及び排気口（24）に連通している。この排気通路（26）には、空気供給手段である排気ファン（28）と、第２の調湿モジュールである排気側モジュール（40b）とが配置されている。
【００４９】
ケーシング（20）には、上記給気ファン（27）、給気側モジュール（40a）、排気ファン（28）及び排気側モジュール（40b）の他に、図２に示す吸収剤回路（30）と熱媒体回路である冷媒回路（35）とが収容されている。
【００５０】
吸収剤回路（30）は、図２に示すように、給気側モジュール（40a）と、排気側モジュール（40b）と、ポンプ（31）とが接続された閉回路である。この吸収剤回路（30）では、ポンプ（31）の吐出側が排気側モジュール（40b）の吸収剤通路（41b）の入口に、該排気側モジュール（40b）の吸収剤通路（41b）の出口が給気側モジュール（40a）の吸収剤通路（41a）の入口に、給気側モジュール（40a）の吸収剤通路（41a）の出口がポンプ（31）の吸入側に、それぞれ接続されている。また、吸収剤回路（30）には、液体吸収剤として、例えば塩化リチウム水溶液が充填されている。
【００５１】
冷媒回路（35）は、圧縮機（36）と、四方切換弁（37）と、膨張弁（38）と、給気側モジュール（40a）と、排気側モジュール（40b）とが接続された閉回路である。この冷媒回路（35）では、圧縮機（36）の吐出側が四方切換弁（37）の第１ポートに、圧縮機（36）の吸入側が四方切換弁（37）の第２ポートに、それぞれ接続される。また、この冷媒回路（35）では、四方切換弁（37）の第３ポートから第４ポートへ向かって順に、排気側モジュール（40b）の伝熱部材（46b）と、膨張弁（38）と、給気側モジュール（40a）の伝熱部材（46a）とが配置されている。冷媒回路（35）は、充填された冷媒を循環させることによって、蒸気圧縮冷凍サイクルを行う。そして、冷媒回路（35）は、給気側モジュール（40a）及び排気側モジュール（40b）に対して、冷媒を加熱用又は冷却用の熱媒体として供給する。
【００５２】
四方切換弁（37）は、第１状態（図２の実線で示す状態）と、第２状態（同図に破線で示す状態）とに切り換わる。第１状態の四方切換弁（37）では、第１のポートが第３のポートに連通し、第２のポートが第４のポートに連通する。一方、第２状態の四方切換弁（37）では、第１のポートが第４のポートに連通し、第２のポートが第３のポートに連通する。
【００５３】
−調湿モジュールの構成−
給気側モジュール（40a）と排気側モジュール（40b）とは、何れも同じ構成を有する調湿モジュール（40）によって構成されている。ここでは、調湿モジュール（40）について、図３及び図４を適宜参照しながら説明する。
【００５４】
調湿モジュール（40）は、液体吸収剤を用いて空気を加湿し又は除湿するものである。この調湿モジュール（40）は、図３に示すように、吸収剤通路（41）と、伝熱部材（46）と、空気通路（50）とを備えている。吸収剤通路（41）は、一対の吸収剤ヘッダ（42）と、複数本の透湿管（43）とで構成されている。伝熱部材（46）は、一対の冷媒ヘッダ（47）と、複数本の伝熱管（48）とで構成されている。
【００５５】
一対の吸収剤ヘッダ（42）は、扁平な矩形箱状に形成され、例えば上下方向に互いに対向して配置されている。一方の吸収剤ヘッダ（42）は、吸収剤回路（30）から液体吸収剤が内部に供給される給液側ヘッダ（42a）を構成している。他方の吸収剤ヘッダ（42）は、吸収剤回路（30）へ内部の液体吸収剤を排出する排液側ヘッダ（42b）を構成している。
【００５６】
一対の冷媒ヘッダ（47）は、吸収剤ヘッダ（42）と同じく扁平な矩形箱状に形成され、一対の吸収剤ヘッダ（42）と直角をなすように例えば左右方向に互いに対向して配置されている。一方の冷媒ヘッダ（47）は、四方切換弁（37）が第１状態のときに冷媒回路（35）から冷媒が内部に供給され、四方切換弁（37）が第２状態のときに冷媒回路（35）へ内部の冷媒を排出する第１の冷媒ヘッダ（47a）を構成している。他方の冷媒ヘッダ（47）は、四方切換弁（37）が第１状態のときに冷媒回路（35）へ内部の冷媒を排出し、四方切換弁（37）が第２状態のときに冷媒回路（35）から冷媒が内部に供給される第２の冷媒ヘッダ（47b）を構成している。
【００５７】
これら一対の吸収剤ヘッダ（42）と一対の冷媒ヘッダ（47）とは、端部同士が接合されて、空気が流れる空気通路（50）を仕切っている。空気通路（50）は、通風口（49）を介して給気通路（25）又は排気通路（26）と連通している。そして、空気通路（50）には、給気ファン（27）又は排気ファン（28）によって供給された空気が流れる。この空気通路（50）には、複数本の透湿管（43）と、複数本の伝熱管（48）とが設置されている。
【００５８】
複数本の透湿管（43）は、それぞれ直線状に延びる直管であって、一対の吸収剤ヘッダ（42）の間、つまり空気通路（50）をその高さ方向に横切るように互いの軸方向が平行となる姿勢で延びている。各透湿管（43）の両端は一対の吸収剤ヘッダ（42）にそれぞれ接続されていて、一対の吸収剤ヘッダ（42）は各透湿管（43）を介して連通している。吸収剤回路（30）から給液側ヘッダ（42a）に供給された液体吸収剤は、給液側ヘッダ（42a）から複数本の透湿管（43）に分岐して送られ、これら各透湿管（43）の内部を流れる。そして、複数本の透湿管（43）内を流れる液体吸収剤は、排液側ヘッダ（42b）に送られて合流し、該排液側ヘッダ（42b）から吸収剤回路（30）に排出される。このように、各透湿管（43）には、吸収剤回路（30）を循環する液体吸収剤が流通する。
【００５９】
複数本の透湿管（43）は、互いに数ｍｍ程度（例えば１ｍｍ〜３ｍｍ）の間隔をあけて設けられている。透湿管（43）は、空気通路（50）の幅方向（図３で左右方向）に整列して縦格子（60a）を構成している。この縦格子（60a）は、空気通路（50）の空気の流れ方向に沿って複数列（図３に示す例では２列）設けられている。各透湿管（43）は、液体吸収剤を透過させず水蒸気を透過させる膜、いわゆる透湿膜が管状に成形されて成る。この透湿膜としては、例えば、ＰＴＦＥ（ポリテトラフルオロエチレン、四フッ化エチレン樹脂）などのフッ素樹脂から成る疎水性多孔膜を用いることができる。これら各透湿管（43）の直径は、例えば１ｍｍ程度である。
【００６０】
複数本の伝熱管（48）は、それぞれ直線状に延びる直管であって、一対の冷媒ヘッダ（47）の間、つまり空気通路（50）をその幅方向に横切るように透湿管（43）と直交する方向に互いの軸方向が平行となる姿勢で延びている。各伝熱管（48）の両端は一対の冷媒ヘッダ（47）にそれぞれ接続されていて、一対の冷媒ヘッダ（47）は各伝熱管（48）を介して連通している。冷媒回路（35）から一方の冷媒ヘッダ（47）に供給された冷媒は、該冷媒ヘッダ（47）から複数本の伝熱管（48）に分岐して送られ、これら各伝熱管（48）の内部を流れる。そして、複数本の伝熱管（48）内を流れる冷媒は、他方の冷媒ヘッダ（47）に送られて合流し、該冷媒ヘッダ（47）から冷媒回路（35）に排出される。このように、各伝熱管（48）には、冷媒回路（35）を循環する冷媒が流通する。
【００６１】
複数本の伝熱管（48）は、互いに数ｍｍ程度（例えば１ｍｍ〜３ｍｍ）の間隔をあけて設けられている。伝熱管（48）は、空気通路（50）の高さ方向（図３で上下方向）に整列して横格子（60b）を構成している。この横格子（60b）は、上記縦格子（60a）に対応して空気通路（50）の空気の流れ方向に沿って複数列（図３に示す例では２列）設けられている。各伝熱管（48）は、例えばＰＥＥＫ（ポリエーテルエーテルケトン）などの樹脂からなる樹脂製のチューブであって、可撓性を有している。各伝熱管（48）の直径は、例えば１ｍｍ程度である。
【００６２】
透湿管（43）が構成する縦格子（60a）と伝熱管（48）が構成する横格子（60b）とは、空気通路（50）の長さ方向に隣り合わせに配置されている。隣り合う縦格子（60a）及び横格子（60b）は、複数本の透湿管（43）と複数本の伝熱管（48）とを格子状に組んだ網状構造（60）を構成している。網状構造（60）は、縦格子（60a）及び横格子（60b）の数に応じて空気通路（50）の空気の流れ方向に沿って複数（図３に示す例では２つ）設けられている。
【００６３】
この網状構造（60）では、図３及び図４に示すように、複数本の透湿管（43）と複数本の伝熱管（48）とが、複数箇所にて互いに接触した状態で直交している。また、この網状構造（60）では、透湿管（43）と伝熱管（48）との格子間を空気通路（50）の空気が流れる。各伝熱管（48）は、透湿管（43）との接触箇所で該透湿管（43）内の液体吸収剤と内部の熱媒体とを熱交換させる。したがって、各透湿管（43）内に流れる液体吸収剤には、伝熱管（48）内の冷媒が持つ温熱又は冷熱が複数箇所で付与される。また、各透湿管（43）は、伝熱管（48）との接触箇所を除く部分が空気通路（50）を流れる空気と接触し、該空気通路（50）を流れる空気と内部の液体吸収剤とで水分を授受させる。
【００６４】
上記網状構造（60）を構成する透湿管（43）及び伝熱管（48）の密度、すなわちこれら透湿管（43）及び伝熱管（48）で区画される網目（格子間）のサイズは、ポンプ（31）によって空気通路（50）に送られる空気の圧力損失と、空気通路（50）の空気に対する調湿能力との関係を考慮して設定される。
【００６５】
上記調湿モジュール（40）によって構成された給気側モジュール（40a）では、伝熱部材（46a）の第２の冷媒ヘッダ（47b）が四方切換弁（37）の第４ポートに接続され、伝熱部材（46a）の第１の冷媒ヘッダ（47a）が膨張弁（38）に接続される。他方、上記調湿モジュール（40）によって構成された排気側モジュール（40b）では、伝熱部材（46）の第１の冷媒ヘッダ（47a）が四方切換弁（37）の第３ポートに接続され、伝熱部材（46）の第２の冷媒ヘッダ（47b）が膨張弁（38）に接続される。
【００６６】
−調湿装置の運転動作−
次に、上記調湿装置（10）の運転動作を説明する。調湿装置（10）は、室内への給気を除湿する除湿運転と、室内への給気を加湿する加湿運転とを選択的に実行する。
【００６７】
＜除湿運転＞
先ず、調湿装置（10）の除湿運転について、図２及び図３を参照しながら説明する。
【００６８】
除湿運転時には、冷媒回路（35）の四方切換弁（37）が第１状態（すなわち、図２に実線で示す状態）に設定される。また、除湿運転時には、圧縮機（36）が運転され、膨張弁（38）の開度が適宜調節される。そして、除湿運転時の冷媒回路（35）では、冷媒が循環することによって蒸気圧縮冷凍サイクルが行われる。また、除湿運転時の冷媒回路（35）では、排気側モジュール（40b）の伝熱部材（46b）が凝縮器となり、給気側モジュール（40a）の伝熱部材（46a）が蒸発器となる。
【００６９】
冷媒回路（35）における冷媒の流れを詳細に説明する。圧縮機（36）から吐出された高温高圧のガス冷媒は、四方切換弁（37）を通過し、加熱用の熱媒体として排気側モジュール（40b）へ供給される。排気側モジュール（40b）の伝熱部材（46b）へ供給された冷媒は、図３に示す各伝熱管（48）と各透湿管（43）との複数の接触箇所において、各透湿管（43）内を流れる液体吸収剤へ放熱して凝縮し、その後に排気側モジュール（40b）から排出される。排気側モジュール（40b）から排出された冷媒は、膨張弁（38）を通過する際に減圧されて気液二相状態の低温低圧の冷媒となり、冷却用の熱媒体として給気側モジュール（40a）へ供給される。給気側モジュール（40a）の伝熱部材（46a）へ流入した冷媒は、図３に示す各伝熱管（48）と各透湿管（43）との複数の接触箇所において、各透湿管（43）内を流れる液体吸収剤から吸熱して蒸発し、その後に給気側モジュール（40a）から排出される。給気側モジュール（40a）から排出された冷媒は、四方切換弁（37）を通過し、圧縮機（36）へ吸入される。圧縮機（36）は、吸入した冷媒を圧縮して吐出する。
【００７０】
また、除湿運転時には、吸収剤回路（30）のポンプ（31）が運転され、吸収剤回路（30）内を液体吸収剤が循環する。
【００７１】
ポンプ（31）から吐出された液体吸収剤は、排気側モジュール（40b）の吸収剤通路（41b）へ供給される。この吸収剤通路（41b）へ供給された液体吸収剤は、図３に示す各透湿管（43）と各伝熱管（48）との複数の接触箇所において、該伝熱管（48）内を流れる冷媒によって加熱される。このとき、排気側モジュール（40b）の空気通路（50）には、排気（すなわち、室外へ排出される室内空気）が流れている。この排気側モジュール（40b）では、液体吸収剤に含まれる水分の一部が水蒸気となって、透湿管（43）を透過し、空気通路（50）を流れる排気に付与される。排気に付与された水蒸気は、排気と共に室外へ排出される。このように、排気側モジュール（40b）では、吸収剤通路（41b）の液体吸収剤に含まれる水分の一部が各透湿管（43）を透過して排気に付与される。したがって、排気側モジュール（40b）では、透湿管（43）を通過する間に液体吸収剤の濃度が次第に上昇していく。
【００７２】
排気側モジュール（40b）から供給された高濃度の液体吸収剤は、給気側モジュール（40a）の吸収剤通路（41a）へ供給される。この吸収剤通路（41a）へ供給された液体吸収剤は、図３に示す各透湿管（43）と各伝熱管（48）との複数の接触箇所において、該伝熱管（48）内を流れる冷媒によって冷却される。このとき、給気側モジュール（40a）の空気通路（50）では、給気（すなわち、室内へ供給される室外空気）が流れている。この給気側モジュール（40a）では、給気に含まれる水蒸気が各透湿管（43）を透過し、該透湿管（43）を流れる液体吸収剤に吸収される。給気側モジュール（40a）の空気通路（50）を通過する間に除湿された給気は、その後に室内へ供給される。このように、給気側モジュール（40a）では、空気通路（50）の給気に含まれる水蒸気の一部が各透湿管（43）を介して液体吸収剤に吸収される。したがって、給気側モジュール（40a）では、透湿管（43）を通過する間に液体吸収剤の濃度が次第に低下していく。給気側モジュール（40a）から排出された低濃度の液体吸収剤は、ポンプ（31）へ吸い込まれ、排気側モジュール（40b）へ向けて送り出される。
【００７３】
＜加湿運転＞
調湿装置（10）の加湿運転について、図２を参照しながら説明する。
【００７４】
加湿運転時には、冷媒回路（35）の四方切換弁（37）が第２状態（すなわち、図２に破線で示す状態）に設定される。また、加湿運転時には、圧縮機（36）が運転され、膨張弁（38）の開度が適宜調節される。また、加湿運転時の冷媒回路（35）では、冷媒が循環することによって蒸気圧縮冷凍サイクルが行われる。また、加湿運転時の冷媒回路（35）では、給気側モジュール（40a）の伝熱部材（46a）が凝縮器となり、排気側モジュール（40b）の伝熱部材（46b）が蒸発器となる。
【００７５】
冷媒回路（35）における冷媒の流れを詳細に説明する。圧縮機（36）から吐出された高温高圧のガス冷媒は、四方切換弁（37）を通過し、加熱用の熱媒体として給気側モジュール（40a）へ供給される。給気側モジュール（40a）の伝熱部材（46a）へ供給された冷媒は、図３に示す各伝熱管（48）と各透湿管（43）との複数の接触箇所において、各透湿管（43）内を流れる液体吸収剤へ放熱して凝縮し、その後に給気側モジュール（40a）から排出される。給気側モジュール（40a）から排出された冷媒は、膨張弁（38）を通過する際に減圧されて気液二相状態で低温低圧の冷媒となり、冷却用の熱媒体として排気側モジュール（40b）へ供給される。排気側モジュール（40b）の伝熱部材（46b）へ流入した冷媒は、図３に示す各伝熱管（48）と各透湿管（43）との複数の接触箇所において、各透湿管（43）内を流れる液体吸収剤から吸熱して蒸発し、その後に排気側モジュール（40b）から排出される。排気側モジュール（40b）から排出された冷媒は、四方切換弁（37）を通過し、圧縮機（36）へ吸入される。圧縮機（36）は、吸入した冷媒を圧縮して吐出する。
【００７６】
また、加湿運転時には、吸収剤回路（30）のポンプ（31）が運転され、吸収剤回路（30）内を液体吸収剤が循環する。
【００７７】
ポンプ（31）から吐出された液体吸収剤は、排気側モジュール（40b）の吸収剤通路（41b）へ供給される。この吸収剤通路（41b）へ供給された液体吸収剤は、図３に示す各透湿管（43）と各伝熱管（48）との複数の接触箇所において、各伝熱管（48）内を流れる冷媒によって冷却される。このとき、排気側モジュール（40b）の空気通路（50）では、排気（すなわち、室外へ排出される室内空気）が流れている。この排気側モジュール（40b）では、排気に含まれる水蒸気が透湿管（43）を透過し、吸収剤通路（41b）を流れる液体吸収剤に吸収される。水蒸気を奪われた排気は、その後に室外へ排出される。このように、排気側モジュール（40b）では、空気通路（50）の排気に含まれる水蒸気の一部が、各透湿管（43）を透過して液体吸収剤に吸収される。したがって、排気側モジュール（40b）では、透湿管（43）を通過する間に液体吸収剤の濃度が次第に低下していく。
【００７８】
排気側モジュール（40b）から流出した低濃度の液体吸収剤は、給気側モジュール（40a）の吸収剤通路（41a）へ供給される。この吸収剤通路（41a）へ供給された液体吸収剤は、図３に示す各透湿管（43）と各伝熱管（48）との複数の接触箇所において、各伝熱管（48）を流れる冷媒によって加熱される。このとき、給気側モジュール（40a）の空気通路（50）には、給気（すなわち、室内へ供給される室外空気）が流れている。この給気側モジュール（40a）では、液体吸収剤に含まれる水分の一部が水蒸気となって透湿管（43）を透過し、空気通路（50）を流れる給気に付与される。給気側モジュール（40a）の空気通路（50）を通過する間に加湿された給気は、その後に室内へ供給される。このように、給気側モジュール（40a）では、吸収剤通路（41a）の液体吸収剤に含まれる水分の一部が、各透湿管（43）を透過して給気に付与される。したがって、給気側モジュール（40a）では、透湿管（43）を通過する間に液体吸収剤の濃度が次第に上昇していく。給気側モジュール（40a）から排出された高濃度の液体吸収剤は、ポンプ（31）へ吸い込まれ、排気側モジュール（40b）へ向けて送り出される。
【００７９】
−調湿モジュールの動作−
給気側モジュール（40a）と排気側モジュール（40b）とを構成する調湿モジュール（40）の動作について説明する。調湿モジュール（40）は、液体吸収剤に水蒸気を吸収させる吸湿動作と、液体吸収剤から水蒸気を放出させる放湿動作とを選択的に行う。上述した除湿運転時には、給気側モジュール（40a）が吸湿動作を行い排気側モジュール（40b）が放湿動作を行う。また、上述した加湿運転時には、排気側モジュール（40b）が吸湿動作を行い、給気側モジュール（40a）が放湿動作を行う。
【００８０】
＜吸湿動作＞
調湿モジュール（40）の吸湿動作について、図３を参照しながら説明する。
【００８１】
吸湿動作中において、調湿モジュール（40）の吸収剤通路（41）には、比較的高濃度の液体吸収剤が供給される。そして、空気通路（50）の空気に含まれる水蒸気の一部が図３に示す複数本の透湿管（43）を透過して液体吸収剤に吸収される。
【００８２】
液体吸収剤が水蒸気を吸収する際には、吸収熱が生じる。このため、何の対策も講じなければ、生じた吸収熱によって液体吸収剤の温度が次第に上昇し、その温度上昇に伴って液体吸収剤に吸収される水蒸気の量が減少していく。また、空気通路（50）を流れる空気の温度が液体吸収剤の温度よりも高い場合は、空気との熱交換によっても液体吸収剤の温度が上昇する。
【００８３】
これに対して、吸湿動作中の調湿モジュール（40）では、伝熱部材（46）が蒸発器として機能し、吸収剤通路（41）を構成する各透湿管（43）内を流れる液体吸収剤が、透湿管（43）と伝熱管（48）との複数の接触箇所において伝熱管（48）内の冷媒によって間欠的に冷却される。これにより、透湿管（43）内を流れる間に吸収熱の作用で液体吸収剤が昇温する分の熱量は、伝熱管（48）内を流れる熱媒体によって程無く吸収される。したがって、液体吸収剤が水蒸気を吸収する際に吸収熱が生じても、透湿管（43）内を流れる液体吸収剤の温度上昇が抑えられる。
【００８４】
＜放湿動作＞
調湿モジュール（40）の放湿動作について、図３を参照しながら説明する。
【００８５】
放湿動作中において、調湿モジュール（40）の吸収剤通路（41）には、比較的低濃度の液体吸収剤が供給される。そして、液体吸収剤に含まれる水分の一部が、水蒸気となって図３に示す各透湿管（43）を透過し、空気通路（50）の空気に付与される。
【００８６】
液体吸収剤から水が放出される際には、液体である水が気化する際に周囲から熱を奪う。このため、何の対策も講じなければ、液体吸収剤の温度が次第に低下し、その温度低下に伴って液体吸収剤から放出される水蒸気の量が減少していく。また、空気通路（50）を流れる空気の温度が液体吸収剤の温度よりも低い場合は、空気との熱交換によっても液体吸収剤の温度が低下する。
【００８７】
これに対して、放湿動作中の調湿モジュール（40）では、伝熱部材（46）が凝縮器として機能し、吸収剤通路（41）を構成する各透湿管（43）内を流れる液体吸収剤が、透湿管（43）と伝熱管（48）との複数の接触箇所において伝熱管（48）内の冷媒によって間欠的に加熱される。これにより、透湿管（43）内を流れる間に水分の気化作用で液体吸収剤が降温する分の熱量は、伝熱管（48）内を流れる冷媒によって程無く補われる。したがって、液体吸収剤に含まれる水分が気化する過程で周囲から熱を奪っても、透湿管（43）内を流れる液体吸収剤の温度低下が抑えられる。
【００８８】
−実施形態１の効果−
この実施形態１によれば、空気通路（50）に設置された複数本の透湿管（43）及び複数本の伝熱管（48）が、網状構造（60）を形成している。この網状構造（60）では、各透湿管（43）と各伝熱管（48）とが複数箇所にて互いに接触した状態で交差しているので、透湿管（43）内に流れる液体吸収剤に伝熱管（48）内の熱媒体が持つ温熱又は冷熱が複数箇所で付与されながら、空気通路（50）を流れる空気と透湿管（45）内の液体吸収剤とで水分が授受される。したがって、液体吸収剤が空気と水分を授受することで生じる液体吸収剤の温度変化を抑えることができ、その結果、調湿モジュール（40）の小型化を図ることができる。これにより、調湿モジュール（40）を備えた調湿装置（10）としても、コンパクト化を図ることができる。
【００８９】
また、この実施形態１によれば、空気と液体吸収剤とが水分を授受する空気通路（50）にて液体吸収剤と熱媒体とが熱交換するので、特許文献１に開示のように吸湿部及び放湿部から離れた位置で液体吸収剤を冷却し又は加熱する場合に比べて、冷却され又は加熱されてから空気と水分の授受を行うまでに生じる液体吸収剤の熱損失が殆どなく、水蒸気の吸収又は放出による液体吸収剤の温度変化を見越して液体吸収剤を過剰に冷却し又は加熱しなくても済む。したがって、調湿モジュール（40）において、液体吸収剤に吸湿させ又は放湿させるために必要なエネルギーを削減することができる。これにより、調湿モジュール（40）を備えた調湿装置（10）としても、エネルギー効率を改善することができる。
【００９０】
−実施形態１の変形例−
本実施形態の調湿モジュール（40）では、各伝熱管（48）が銅製のキャピラリ−チューブであってもよい。銅製のキャピラリ−チューブは、熱伝導性が高く、伝熱管（48）に適しているので、伝熱管（48）内を流れる熱媒体と透湿管（43）内を流れる液体吸収剤とを充分に熱交換させることができる。
【００９１】
《発明の実施形態２》
この実施形態２の調湿装置（10）は、上記実施形態１の調湿モジュール（40）とは異なる構成の調湿モジュール（40）を備えている。なお、以降の各実施形態では、調湿モジュール（40）の構成が上記実施形態１と異なる他は調湿装置（10）について上記実施形態１と同様に構成されているので、構成の異なる調湿モジュール（40）についてのみ説明し、同一の構成箇所は図１〜図４に基づく上記実施形態１の説明に譲ることにして、その詳細な説明を省略する。
【００９２】
本実施形態の調湿モジュール（40）について、図５〜図７を参照しながら説明する。本実施形態の調湿モジュール（40）では、図５に示すように、各網状構造（60）は、複数本の透湿管（43）と複数本の伝熱管（48）とが平織状に組まれて構成されている。
【００９３】
網状構造（60）を構成する各透湿管（43）は、図５及び図６に示すように、蛇行管であって、当該網状構造（60）を構成する複数本の伝熱管（48）の間を蛇行する形状を有している。隣り合う透湿管（43）は、個々の伝熱管（48）との交差部において、該伝熱管（48）に対して互いに反対側で接触し、該伝熱管（48）との位置関係が空気通路（50）の空気の流れ方向において交互に入れ換わっている。そして、これら各透湿管（43）は、各伝熱管（48）の外周面の一部にその周方向に沿って接触している。
【００９４】
また、網状構造（60）を構成する各伝熱管（48）も、図５及び図７に示すように、蛇行管であって、当該網状構造（60）を構成する複数本の透湿管（43）の間を蛇行する形状を有している。隣り合う伝熱管（48）は、個々の透湿管（43）との交差部において、該透湿管（43）に対して互いに反対側で接触し、該透湿管（43）との位置関係が空気通路（50）の空気の流れ方向において交互に入れ換わっている。そして、これら各伝熱管（48）は、各透湿管（43）の外周面の一部にその周方向に沿って接触している。
【００９５】
−実施形態２の効果−
この実施形態２によれば、各透湿管（43）及び各伝熱管（48）が共に蛇行管であって、各透湿管（43）が伝熱管（48）の外周面に沿って接触すると共に各伝熱管（48）が透湿管（43）の外周面に沿って接触しているので、上記実施形態１のように共に直管である透湿管（43）と伝熱管（48）とが交差部で単純に接触している場合に比べて、透湿管（43）と伝熱管（48）とが互いの外周面にその周方向に沿って接触している分だけこれら透湿管（43）と伝熱管（48）との接触面積が増大し、透湿管（43）内を流れる液体吸収剤と伝熱管（48）内を流れる冷媒との熱交換率を向上させることができる。
【００９６】
−実施形態２の変形例−
本変形例の調湿モジュール（40）について、図８を参照しながら説明する。本実施形態の調湿モジュール（40）では、図８に示すように、網状構造（60）を構成する各伝熱管（48）が直線状に延びる直管であり、各透湿管（43）のみが蛇行管であってもよい。この場合、各伝熱管（48）は、銅製のキャピラリ−チューブであってもよい。また、隣り合う透湿管（43）は、個々の伝熱管（48）との交差部において、該伝熱管（48）に対して同一側で接触し、互いに平行に延びて同じ方向にうねる形状を呈していてもよい。
【００９７】
その他、網状構造（60）を構成する各透湿管（43）が直線状に延びる直管であり、各伝熱管（48）だけが蛇行管であってもよい。この場合にも、隣り合う伝熱管（48）は、個々の透湿管（43）との交差部において、該伝熱管（48）に対して同一側に接触し、互いに平行に同じ方向にうねる形状を呈していてもよい。
【００９８】
《発明の実施形態３》
この実施形態３の調湿モジュール（40）について、図９を参照しながら説明する。本実施形態の調湿モジュール（40）は、図９に示すように、上記実施形態１における各横格子（60b）を構成する複数本の伝熱管（48）に代えて、蛇行管である１本の伝熱管（48）を備えている。
【００９９】
本実施形態の伝熱管（48）は、空気通路（50）の幅方向において左右に蛇行しながら、該空気通路（50）の上端付近から下端付近にまで延びている。この伝熱管（48）は、複数の横格子部（48a）と、複数の折返し部（48b）と、を有している。各横格子部（48a）は、複数本の透湿管（43）が延びる領域でこれら各透湿管（43）と直交する方向に直線状に延び、横格子（60b）を構成している。各折返し部（48b）は、隣り合う横格子部（48a）の端部同士を連結している。また、本実施形態の調湿モジュール（40）には、冷媒ヘッダ（47）が設けられておらず、空気通路（50）は、奥行きのある枠状部材（51）によって仕切られている。
【０１００】
そして、本実施形態の調湿モジュール（40）では、複数本の透湿管（43）と１本の伝熱管（48）とで網状構造（60）が形成されている。この網状構造（60）では、各透湿管（43）と伝熱管（48）とが、複数箇所にて互いに接触した状態で直交している。伝熱管（48）は、透湿管（43）との接触箇所で該透湿管（43）内の液体吸収剤と内部の冷媒とを熱交換させる。したがって、各透湿管（43）内に流れる液体吸収剤には、伝熱管（48）内の冷媒が持つ温熱又は冷熱が複数箇所で付与される。また、各透湿管（43）は、伝熱管（48）との接触箇所を除く部分が空気通路（50）に流れる空気と接触し、該空気通路（50）を流れる空気と内部の液体吸収剤とで水分を授受させる。
【０１０１】
−実施形態３の効果−
この実施形態３によっても、液体吸収剤の温度変化を抑えることによって調湿モジュール（40）の小型化、ひいては調湿装置（10）のコンパクト化を図ることができ、且つ調湿モジュール（40）において液体吸収剤に吸湿させ又は放湿させるために必要なエネルギーを削減することができ、調湿装置（10）としてもエネルギー効率を改善することができる。
【０１０２】
−実施形態３の変形例−
本変形例の調湿モジュール（40）について、図１０を参照しながら説明する。本実施形態の調湿モジュール（40）は、図１０に示すように、複数本の透湿管（43）と伝熱管（48）における複数の横格子部（48a）とが、上記実施形態２の透湿管（43）及び伝熱管（48）と同じく平織状に組まれて構成されていてもよい。
【０１０３】
この変形例によれば、透湿管（43）と伝熱管（48）とが互いの外周面にその周方向に沿って接触する分だけこれら透湿管（43）と伝熱管（48）との接触面積が増大し、透湿管（43）内を流れる液体吸収剤と伝熱管（48）内を流れる冷媒との熱交換率を向上させることができる。
【０１０４】
《その他の実施形態》
図１１に示すように、上記の各実施形態の調湿装置（10）では、給気側モジュール（40a）と排気側モジュール（40b）とが、別々のユニットに配置されていてもよい。
【０１０５】
具体的には、本変形例の調湿装置（10）は、室外ユニット（15）と、室内ユニット（17）とを備えている。室外ユニット（15）には、吸収剤回路（30）のポンプ（31）と、冷媒回路（35）の圧縮機（36）、四方切換弁（37）及び膨張弁（38）と、排気側モジュール（40b）とが収容されている。また、室外ユニット（15）には、排気側モジュール（40b）へ室外空気を供給する室外ファン（16）が設けられている。一方、室内ユニット（17）には、給気側モジュール（40a）が収容されている。また、室内ユニット（17）には、給気側モジュール（40a）へ室内空気を供給する室内ファン（18）が設けられている。
【０１０６】
除湿運転中において、本変形例の調湿装置（10）では、給気側モジュール（40a）において除湿した室内空気を室内へ送り返し、排気側モジュール（40b）において加湿した室外空気を室外へ排出する。一方、加湿運転中において、本変形例の調湿装置（10）は、給気側モジュール（40a）において加湿した室内空気を室内へ送り返し、排気側モジュール（40b）において除湿した室外空気を室外へ排出する。
【０１０７】
以上、本発明の好ましい実施形態及びその変形例について説明したが、本発明の技術的範囲は上記実施形態及びその変形例に記載の範囲に限定されない。上記実施形態及びその変形例が例示であり、それらの各構成要素や各処理プロセスの組合せに、さらにいろいろな変形例が可能なこと、またそうした変形例も本発明の範囲にあることは当業者に理解されるところである。
【産業上の利用可能性】
【０１０８】
以上説明したように、本発明は、液体吸収剤を用いて空気の湿度調節を行う調湿モジュール及びそれを備えた調湿装置について有用であり、特に、液体吸収剤の温度変化を抑えることによって調湿モジュールの小型化を図ることが要望される調湿モジュール及びそれを備えた調湿装置に適している。
【符号の説明】
【０１０９】
10    調湿装置
27    給気ファン（空気供給手段）
28    排気ファン（空気供給手段）
30    吸収剤回路
35    冷媒回路（熱媒体回路）
40    調湿モジュール
40a   給気側モジュール
40b   排気側モジュール
42    吸収剤ヘッダ
43    透湿管
47    冷媒ヘッダ（熱媒体ヘッダ）
48    伝熱管
50    空気通路
60    網状構造
【図１】
2014129930.tif 000003
【図２】
2014129930.tif 000004
【図３】
2014129930.tif 000005
【図４】
2014129930.tif 000006
【図５】
2014129930.tif 000007
【図６】
2014129930.tif 000008
【図７】
2014129930.tif 000009
【図８】
2014129930.tif 000010
【図９】
2014129930.tif 000011
【図１０】
2014129930.tif 000012
【図１１】
2014129930.tif 000013